(57)【要約】【技術課題】賞味期限等の文字情報が消えたりせず、製袋時に機械的な方法で賞味期限等の文字を印刷又は印字することができる食品包装体及びこの製法を提供する。【解決手段】ロール１０から繰り出されたフィルム１１の端縁であって、ヒートシールされる部分に賞味期限等に関する文字情報を印刷又は印字１３した後、前記フィルム１１を円曲して前記賞味期限等に関する文字情報が内側にくるようにしてフィルム１１の両端を引き合わせ、この引き合わせた部分をヒートシールバー１４、１４ａでヒートシールを行い、次に横ヒートシールバー１５、１５ａで横断するようにヒートシールを行い、カッター１６、１６ａで一袋ごとにカットを行い、製品とする。この結果、賞味期限等に関する文字情報５が袋のヒートシール面２内に存在するため、文字が消えたりしないと共に自動製袋ラインでの印刷又は印字１３が可能となり、手間が省ける。【選択図】        図１
2004268925.tif 000002
【特許請求の範囲】
【請求項１】
包装体のヒートシール部内に賞味期限に関する文字情報を印刷又は印字して成る食品包装体。
【請求項２】
ロールから繰り出されたフィルムの端縁であって、ヒートシールされる部分に賞味期限に関する文字情報を印刷又は印字した後、前記フィルムを円曲して前記賞味期限に関する文字情報が内側にくるようにしてフィルムの両端を引き合わせ、この引き合わせた部分をヒートシールすることによりヒートシール部内に賞味期限に関する文字情報を印刷又は印字する食品包装体の製法。
【請求項３】
包装体は、三方シールにより密封されることを特徴とする請求項２に記載の食品包装体の製法。
【請求項４】
包装体は、合掌貼りで製袋されることを特徴とする請求項２に記載の食品包装体の製法。
【請求項５】
包装体は、封筒貼りで製袋されていることを特徴とする請求項２に記載の食品包装体の製法。
【発明の詳細な説明】
【０００１】
【発明の属する技術分野】
本発明は、賞味期限（又は消費期限）関する文字情報を印刷又は印字した食品包装体及びこの包装体の製法に関し、更に詳しくは、前記賞味期限等の文字情報が消えたり、インキが他の包装体や食品に付着したりしない食品包装体及びこの包装体の製法に関する。
【０００２】
【従来の技術】
食品包装体には、中味である食品の賞味期限が例えば「賞味期限２００３．１１」のように表示されているが、この賞味期限の表示は、包装体内に製造した食品を密封した後の段階で入れることになるため、あらかじめ包装体あるいは自動包装にあっては包装前のフィルムに印刷したりしておくことはできない。
そこで、従来は食品を密封したあとからインクリボンを用いた印字機を用いて包装体の表面に印字しており、そしてこの表示は通常手作業で行っている。
【０００３】
このため、次のような欠点がある。
１．インキが包装体の表面についているため、他の物品に擦れて薄くなったり、判別が困難になることがある。
２．水に濡れると文字が消えてしまう。
３．インキが衣服を汚したり、他の商品に付着したりすることがある。
４．家庭で包装体ごと熱湯に入れて温めたりすると、熱湯中にインキが溶け出てしまう。
５．一袋ごと印字するため、作業に人手がかかる。
【０００４】
【発明が解決しようとする課題】
本発明は斯かる点に鑑みて提案されるものであって、賞味期限等の文字情報が消えたりせず、製袋時に機械的な方法で賞味期限等の文字情報を印刷又は印字することができる食品包装体及びこの製法を提供するのが目的である。
【０００５】
【課題を解決するための手段】
上記目的を達成するため、請求項１に記載の発明においては、食品包装体において、包装体のヒートシール部内に賞味期限に関する文字情報を印刷又は印字して成ることを特徴とするものである。
【０００６】
更に、請求項２に記載の発明においては、食品包装体の製法において、ロールから繰り出されたフィルムの端縁であって、ヒートシールされる部分に賞味期限に関する文字情報を印刷又は印字した後、前記フィルムを円曲して前記賞味期限に関する文字情報が内側にくるようにしてフィルムの両端を引き合わせ、この引き合わせた部分をヒートシールすることによりヒートシール部内に賞味期限に関する文字情報を印刷又は印字することを特徴とするものである。
【０００７】
更に、請求項３に記載の発明においては、請求項２に記載の発明において、包装体は、三方シールにより密封されることを特徴とするものである。
【０００８】
更に、請求項４に記載の発明においては、請求項２に記載の発明において、包装体は、合掌貼りで製袋されることを特徴とするものである。
【０００９】
更に、請求項５に記載の発明においては、請求項２に記載の発明において、包装体は、封筒貼りで製袋されていることを特徴とするものである。
【００１０】
【発明の実施の形態】
包装体は賞味期限等の表示が義務化されている食品の包装体である。また、この包装体はプラスチックフィルムで製袋された包装体が対象である。
以下、図１〜図３に基づいて請求項１に記載した包装体の実施例を詳細に説明する。
【００１１】
図１において、１は内部に鍋物の調味液を充填した包装体であって、三方シール２、３、４されたこの包装体１の一辺のヒートシール２部分には、そのヒートシール面にあらかじめ「賞味期限２００３．１１」の文字５が印刷又は印字されている。
図２はＡ−Ａ´線断面であって、「賞味期限２００３．１１」の文字５は、ヒートシール面２内に印刷されていて、フィルムの外からこの文字は透視できる。この図２のヒートシール面は合掌貼りと称される状態であり、図３のヒートシール面２は封筒貼りと称される包装体の実施例であって、この貼り合わせ構造は、本発明において問わない。
図４は本発明に係る包装体の製袋例であって、ロール１０からフラットな状態でフィルム１１が繰り出されたのち、このフィルム１１の端縁に沿って、印字機１２を用いて賞味期限に関する文字情報の印字１３を行い、フィルム１１はこの印字１３を内側にして両端を合掌状に合わせ、次にヒートシールバー１４、１４ａにより縦方向にヒートシールすることにより、フィルム１１を円筒状に形成し、次に横ヒートシールバー１５、１５ａにより横方向にヒートシールを行い、次に一袋ごとにカッター１６、１６ａでカットを行い、製品とする。図中１７は調味液充填ノズルである。
【００１２】
【発明の効果】
本発明は以上のように、賞味期限等の文字情報をヒートシール面の内側に印刷又は印字することにより、次の効果がある。
１．賞味期限等の文字がヒートシール面であって、フィルムの間に位置するため
、外からこの賞味期限等の文字が擦れたり、水で濡れて落ちたりしない。
２．包装体の表面にインキが露出していないため、インキで他の食品や衣服を汚
したり、熱湯中に溶解して文字が消えたりしない。
３．製袋時に機械的な手段で文字の印刷又は印字を行うことができるので、賞味
期限入れの手間が省け、製造コストの低減を図ることができる。
【図面の簡単な説明】
【図１】本発明に係る包装体の説明図。
【図２】Ａ−Ａ´線断面図。
【図３】封筒貼り包装体に本発明を実施した例の説明図。
【図４】自動包装機において賞味期限等の文字情報を印刷又は印字しながら製袋する例の説明図。
【符号の説明】
１  包装体
２、３、４  三方シール
５  文字
１０  ロール
１１  フィルム
１２  印字機
１３  印字
１４、１４ａ  ヒートシールバー
１５、１５ａ  横ヒートシールバー
１６、１６ａ  カッター
１７  充填ノズル
【図１】
2004268925.tif 000003
【図２】
2004268925.tif 000004
【図３】
2004268925.tif 000005
【図４】
2004268925.tif 000006